【手続補正書】
【提出日】平成20年4月14日(2008.4.14)
【手続補正１】
【補正対象書類名】明細書
【補正対象項目名】特許請求の範囲
【補正方法】変更
【補正の内容】
【特許請求の範囲】  
【請求項１】  プロバイダから商品／サービスを獲得するために必要なトランザクションを促進するシステムであって、商品／サービスに関係する、現在位置からプロバイダ位置への方位を含む追加情報が、プログラム信号で提供されるプログラムに関連する情報供給源から入手可能であり、
プログラム信号と、前記プログラム信号内で提供されるプログラムに関係する追加情報のプロバイダに関連するアドレスとを受信するための受信器と、
操作可能に前記受信器に接続された、アドレスを復号するためのアクセスコントローラと、
前記追加情報にアクセスするユーザコマンドを入力するユーザインターフェースと、
ユーザコマンドの際に、プロバイダとのリンクを確立する通信ユニットと、
ユーザによるプロバイダからの商品／サービスの獲得を促進するＭＯＴＥＳインターフェース手段と
を含むシステム。
【請求項２】  受信器の現在位置を決定するための位置決定ユニットを更に含み、そして、方位決定手段が、目的地位置への方位を決定するために現在位置を使用する、請求項１に記載のシステム。
【請求項３】  前記プログラム信号が、ラジオ放送信号及びテレビジョン放送信号からなる群から選択された少なくとも１つである、請求項１に記載のシステム。
【請求項４】  前記プログラム信号が、オーディオ信号、ビデオ信号、及び、組み合わされたオーディオ及びビデオ信号からなる群から選択された少なくとも１つである、請求項１に記載のシステム。
【請求項５】  システムが、ディジタルバーサタイルディスク、コンパクトディスク、ビデオテープ、磁気テープ、ハードディスクドライブ、光学記憶手段、磁気記憶手段、ポータブル不揮発性記憶手段、連続的に電力を与えられる揮発性記憶手段、メモリカード、リモートデータベース、及び、ローカルデータベースからなる群から選択された記憶手段を更に含み、前記記憶手段が、前記プログラム信号を記憶する、請求項１に記載のシステム。
【請求項６】  前記アドレスが、前記プログラム信号に埋め込まれる、請求項１に記載のシステム。
【請求項７】  前記アドレスが、前記プログラム信号とは別に送信される、請求項１に記載のシステム。
【請求項８】  前記システムが、
前記プログラム信号から前記アドレスを抽出する、前記受信器と通信するアドレス抽出器と、
前記アドレスの受信時にインジケータ信号を生成するインジケータ信号ジェネレータと
を更に含む、請求項１に記載のシステム。
【請求項９】  前記位置決定ユニットが、ＧＰＳ衛星信号を受信し、そして、前記ユーザの現在位置を決定するＧＰＳ受信器を更に含む、請求項２に記載のシステム。
【請求項１０】  前記位置決定ユニットが、差動ＧＰＳと、住所と、交差点と、緯度及び経度と、既知の位置からの時間、距離、及び、方向の測定値とからなる群から選択された少なくとも１つの手法を介して実現される方法を利用する、請求項２に記載のシステム。
【請求項１１】  前記プロバイダが、目的地位置から離れており、そして、前記プロバイダが、少なくとも１つの商品／サービスに関する注文をユーザから受信し、そして、実行のために目的地位置にある関係団体に注文を送信し、前記注文が、顧客からインターネットリンクを介して前記プロバイダによって受信される、請求項１に記載のシステム。
【請求項１２】  商品／サービスに関する追加情報が使用可能であることを示すプログラム信号内の表示の受信の際に、前記商品／サービスを受け取るユーザ要求に応答して、前記プログラム信号内で提供されるアドレスに関係する目的地位置でのユーザに、前記商品／サービスの提供を促進する方法であって、
プログラム信号で提供されたプログラムに関連したアドレスに関する、ユーザが関心を示した追加情報を受信し、
前記追加情報をユーザに呈示し、
前記追加情報に関係するプロバイダによって提供される少なくとも１つの商品／サービスの前記ユーザによる選択を受け取り、
前記ユーザの識別子にアクセスし、
前記追加情報を受信するユーザの現在位置を決定し、
前記現在位置、選択、及び、識別子を前記プロバイダに通信し、
前記プロバイダからの前記アドレスに関連する目的地位置の識別を受信し、
前記目的地位置の識別を前記ユーザに提供する
ステップを含み、前記目的地位置への到着時に、前記ユーザ識別子が検証され、そして、前記ユーザが、促進されたベースで前記ユーザによって選択された前記商品／サービスを提供されるところの方法。
【請求項１３】  前記プログラム信号が、ラジオ放送信号及びテレビジョン放送信号からなる群から選択された少なくとも１つである、請求項１２に記載の方法。
【請求項１４】  前記プログラム信号が、オーディオ信号、ビデオ信号、及び、組み合わされたオーディオ及びビデオ信号からなる群から選択された少なくとも１つの信号を含む、請求項１２に記載の方法。
【請求項１５】  前記追加情報が、前記プログラムに関係するアドレスへの関心を前記ユーザが示す時に受信され、前記方法が、
前記プログラム信号を受信するステップと、
前記プログラム信号内で提供されるプログラムに関するアドレスを受信するステップと、
前記追加情報が使用可能であることの前記ユーザへの表示を生成するステップと、
前記追加情報を得るコマンドを前記ユーザから受け取るステップと、
前記追加情報の前記プロバイダとの通信リンクを確立するステップと
を更に含む、請求項１２に記載の方法。
【請求項１６】  前記アドレスが、更に、インターネットアドレスを含む、請求項１２に記載の方法。
【請求項１７】  前記追加情報に関係するプロバイダによって提供される少なくとも１つの商品／サービスのユーザによる選択が、ユーザインターフェース手段を介して受け取られる、請求項１２に記載の方法。
【請求項１８】  前記ユーザの識別子が、ディジタルバーサタイルディスク、コンパクトディスク、ビデオテープ、磁気テープ、ハードディスクドライブ、光学記憶手段、磁気記憶手段、ポータブル不揮発性記憶手段、連続的に電力を与えられる揮発性記憶手段、メモリカード、リモートデータベース、及び、ローカルデータベースからなる群から選択されたデータ記憶手段からアクセスされる、請求項１２に記載の方法。
【請求項１９】  前記ユーザの識別子が、ユーザ識別情報、支払い情報、位置情報、ユーザプリファレンス、及び配送情報からなる群から選択された少なくとも１つの発生情報を更に含む、請求項１２に記載の方法。
【請求項２０】  前記ユーザの前記現在位置を決定するステップが、全世界測位システム、距離測定装置、信号の時間及び周波数に基づく変化、ロラン、無線周波数三角測量、ラジアルを伴う無線信号の交差、及び、９１１緊急システムに基づく位置識別からなる群から選択された少なくとも１つの位置測定手法を利用して実行される、請求項１２に記載の方法。
【請求項２１】  前記アドレスに関連する目的地位置の識別を受信するステップが、
少なくとも１つの目的地位置の一覧表を得、
前記ユーザの前記現在位置に対して少なくとも１つの目的地位置の前記一覧表を比較し、そして、
前記一覧表から、前記ユーザの前記現在位置に最も近い目的地位置を識別する
ことを更に含む、請求項１２に記載の方法。
【請求項２２】  前記方法が、前記ユーザが少なくとも１つの商品／サービスを促進して得るのに必要な少なくとも１つのトランザクション要件を更に含み、そして、すべてのトランザクション要件が、前記目的地位置への前記ユーザの到着に先立って達成される、請求項１２に記載の方法。
【請求項２３】  少なくとも１つのトランザクション要件が、前記目的地位置への前記ユーザの到着の時に達成される、請求項１２に記載の方法。
【請求項２４】  少なくとも１つのトランザクション要件が、少なくとも部分的に、ユーザ情報を電子的に前記プロバイダに供給することによって達成される、請求項１２に記載の方法。